(57)【要約】  本発明は、持ち手（７）及びカバー（５）並びに一つ又は複数の垂直軸回転切断ヘッド（１）を有する切断システムを含むひげトリマーであって、前記回転切断ヘッドが移動刃（２）及び固定刃（３）を含み、各ヘッドが冠の形の櫛（４）によって包囲され、前記櫛（４）が、高さ調整可能であり、かつ使用時に、前記刃（２，３）と皮膚の間の距離を調整し、それによってひげの毛の切断を所望の長さに適応することを可能にするひげトリマーにおいて、前記カバー（５）が、前記持ち手（７）上に開放位置と閉鎖位置の間で移動可能に装着され、かくしてカバー（５）が開放位置から保護位置に移動されることができ、保護位置でそれが装置を保管するために櫛の歯と面一であることを特徴とする。【選択図】  図５
2018520731.tif 000002
【特許請求の範囲】
【請求項１】
持ち手（７）及びカバー（５）並びに一つ又は複数の垂直軸回転切断ヘッド（１）を有する切断システムを含むひげトリマーであって、前記回転切断ヘッドが移動刃（２）及び固定刃（３）を含み、各ヘッドが冠の形の櫛（４）によって包囲され、前記櫛（４）が、高さ調整可能であり、かつ使用時に、前記刃（２，３）と皮膚の間の距離を調整し、それによってひげの毛の切断を所望の長さに適応することを可能にするひげトリマーにおいて、前記カバー（５）が、前記持ち手（７）上に開放位置と閉鎖位置の間で移動可能に装着され、かくしてカバー（５）が開放位置から保護位置に移動されることができ、保護位置でそれが装置を保管するために櫛の歯と面一であることを特徴とするひげトリマー。
【請求項２】
櫛のための保護位置が、カバー（５）を持ち手（７）から離れるように移動させるための手段（６）を作動することによって達成されることを特徴とする請求項１又は２に記載のひげトリマー。
【請求項３】
カバー（５）が、櫛のための保護位置を達成するためにシャフト（９）の方向に沿って並進されることを特徴とする請求項１又は２に記載のひげトリマー。
【請求項４】
カバー（５）を離れるように移動させるための手段が、櫛のための保護位置を達成するためにシャフト（９）のまわりに位置されるばねによって並進移動を起こすようにカバー（５）をその固定部（８）から離すことを特徴とする請求項１〜３のいずれかに記載のひげトリマー。
【請求項５】
持ち手（７）から離れるカバー（５）の移動が電動化されていることを特徴とする請求項１〜４のいずれかに記載のひげトリマー。
【請求項６】
前記トリマーが、二つ又は三つの回転ヘッドを含むことを特徴とする請求項１〜５のいずれかに記載のひげトリマー。
【請求項７】
切断システムの固定刃中の毛の適切な侵入を確保するために櫛（４）の歯の間隔Ｌ１とそれらの厚さＲ１−Ｒ２の間の比率（即ち、比率Ｌ１／（Ｒ１−Ｒ２））が、１〜２、好ましくは１〜１.８、特に好ましくは１.１〜１.６であることを特徴とする請求項１〜６のいずれかに記載のひげトリマー。
【請求項８】
櫛のベースにおける歯の高さＨとそれらの断面の表面積の間の比率が、２〜４、好ましくは２.３〜３.５、特に好ましくは２.５〜３ｍｍ−１であることを特徴とする請求項１〜７のいずれかに記載のひげトリマー。
【請求項９】
軸方向の角度Ａが、７〜１１°、好ましくは８〜１０°、特に好ましくは８.５〜９．５°であることを特徴とする請求項１〜８のいずれかに記載のひげトリマー。
【請求項１０】
放射方向の角度Ｂが、８〜２２°、好ましくは９〜２０°、特に好ましくは１０〜１９°であることを特徴とする請求項１〜９のいずれかに記載のひげトリマー。
【発明の詳細な説明】
【技術分野】
【０００１】
本発明は、一つ又は複数の、垂直軸を持つ回転切断ヘッドを含むひげトリマー（ｂｅａｒｄ  ｔｒｉｍｍｅｒ）に関する。これらの回転ヘッドの切断機構は、移動刃と固定刃を備えている。各切断ヘッドは、冠の形の櫛によって包囲され、その高さが調整可能であり、その歯は特定の幾何学的形状を有する。使用時には、櫛の高さを調整することにより、切断機構と皮膚の間の距離を調整してひげの切断長さを調整することを可能にする。
【０００２】
櫛の歯は、２０ｍｍまでの長さを持ち、最終的により細くなることができ、それは、それらを不注意な操作時に破壊させる。この問題を避けるため、本発明によるトリマーは、除去可能に装着されたカバーを含み、それは、櫛のための保護位置を達成することを可能にし、そこではカバーは、実際には装置を保管するために櫛の歯と面一にもたらされる。
【背景技術】
【０００３】
従来技術のひげトリマーは、直線状に移動する刃及び固定刃を持ち、その操作は、固定刃に対して移動刃の行ったり来たりの移動に基づく。このタイプのトリマーは、一般的にひげの切断長さを調整することを可能にする櫛を備えている。かかるひげトリマーは、例えばＵＳＤ６９８０８４，ＵＳ６９７８５４７，ＵＳＤ４８６２６７，ＥＰ２７６６１５３Ａ１，ＵＳＤ３６３８０９，ＵＳ２０１３／００４２４８７，ＵＳ７０７６８７８，ＵＳＤ５２１６８３などに開示されている。
【０００４】
もちろん極めて短く切ったひげそりを達成することを可能にする複数の回転ヘッドを持つ電気かみそりが存在するが、これらは、ひげをトリミングするために使用されることができない。電気かみそりは、切断機構と皮膚の間の距離を調整するための櫛を持たない。我々が知っている限り、従来技術において垂直軸を持つ回転ヘッドを有するひげトリマーはない。
【０００５】
従来技術のトリマーは、移動刃と固定刃の交差部に直線切断線を持つ。それらは、ひげの毛が一つの方向に傾斜されることが最も多いのでトリミング方向に依存して毛を異なるようにトリミングする欠点を持つ。なぜならば、ひげの毛は、皮膚に対して垂直に成長することがほとんどないからである。従って、これらのトリマーで刈り取る結果は、トリミングされるひげの上での移動方向に依存して極めて異なる。
【０００６】
櫛のための保護位置を含む垂直軸を持つ切断ヘッドを有するトリマーは、従来技術において知られていない。
【発明の概要】
【発明が解決しようとする課題】
【０００７】
本発明は、ひげの切断高さを調整することを可能にする調整可能な長さを有する櫛によって包囲される一つ又は複数の回転ヘッドを有するひげトリマーを提供することを目的とする。トリマーは、カバーが、並進によって、装置を保管するために櫛の歯とほぼ面一にもたらされる櫛の保護位置を達成することを可能にする機構を有する、移動可能に装着されるカバーを含む。
【０００８】
本発明はまた、切断システムにおいて毛の侵入に好ましい特定の幾何学的形状を有する歯を含む櫛を有するトリマーを開示する。
【０００９】
本発明は、持ち手及びカバー並びに一つ又は複数の垂直軸回転切断ヘッドを有する切断システムを含むひげトリマーであって、前記回転切断ヘッドが移動刃及び固定刃を含み、各ヘッドが冠の形の櫛によって包囲され、前記櫛が、高さ調整可能であり、かつ使用時に、前記刃と皮膚の間の距離を調整し、それによってひげの毛の切断を所望の長さに適応することを可能にするひげトリマーにおいて、前記カバーが、前記持ち手上に開放位置と閉鎖位置の間で移動可能に装着され、かくしてカバーが開放位置から保護位置に移動されることができ、保護位置でそれが装置を保管するために櫛の歯と面一であることを特徴とするひげトリマーを開示する。
【００１０】
本発明の好ましい実施形態は、以下の特徴の少なくとも一つ、又はいずれかの適切な組み合わせを含む：
−  櫛のための保護位置が、カバーを持ち手から離れるように移動させるための手段を作動することによって達成される；
−  カバーが、櫛のための保護位置を達成するためにシャフトの方向に沿って並進される；
−  カバーを離れるように移動させるための手段が、櫛のための保護位置を達成するためにシャフトのまわりに位置されるばねによって並進移動を起こすようにカバーをその固定部から離す；
−  持ち手から離れるカバーの移動が電動化されている；
−  前記トリマーが、二つ又は三つの回転ヘッドを含む；
−  切断システムの固定刃中の毛の適切な侵入を確保するために櫛の歯の間隔Ｌ１とそれらの厚さＲ１−Ｒ２の間の比率（即ち、比率Ｌ１／（Ｒ１−Ｒ２））が、１〜２、好ましくは１〜１.８、特に好ましくは１.１〜１.６である；
−  櫛のベースにおける歯の高さＨとそれらの断面の表面積の間の比率が、２〜４、好ましくは２.３〜３.５、特に好ましくは２.５〜３ｍｍ−１である；
−  軸方向の角度Ａが、７〜１１°、好ましくは８〜１０°、特に好ましくは８.５〜９．５°である；
−  放射方向の角度Ｂが、８〜２２°、好ましくは９〜２０°、特に好ましくは１０〜１９°である。
【図面の簡単な説明】
【００１１】
【図１】図１は、三つの垂直軸回転ヘッドを含む本発明によるひげトリマーを示す。回転ヘッドのまわりの冠形状の櫛は、三つの異なる調整高さで示される。例えば、これらの三つの調整は、例えば２，６，及び１０ｍｍの毛高さを得ることを可能にする。
【００１２】
【図２】図２は、一つ又は二つの垂直軸切断ヘッドをそれぞれ有する本発明によるトリマーを示す。
【００１３】
【図３】図３は、様々なひげ切断長さを有する本発明によるトリマーの操作機構の詳細図を示す。
【００１４】
【図４】図４は、櫛の歯の端とほぼ面一にもたらされたカバーを有する櫛のための保護位置のトリマーを示す。カバーの移動は、持ち手とカバーの間にスリットを作る。
【００１５】
【図５】図５は、櫛を保護するカバーの位置を達成することを可能にする移動機構を有する本発明によるトリマーの断面図を示す。
【００１６】
【図６】図６は、切断ヘッドのまわりの櫛の歯の間隔及び幾何学的形状を規定する重要なパラメーターを示す。
【００１７】
【図７】図７は、櫛の三つの寸法例を示す。
【００１８】
【図８】図８は、本発明によるトリマーの櫛の歯のベースのための異なる可能な形状を示す。
【００１９】
参照符号のリスト
１．垂直軸を有する円形回転ヘッド
２．移動刃
３．固定刃
４．切断ヘッドを包囲する冠形状の櫛
５．カバー
６．櫛のための保護位置の方への移動をカバーに開始させる押しボタン
７．持ち手
８．カバーの固定部
９．シャフト
【発明を実施するための形態】
【００２０】
従来技術のひげトリマーと違って、本発明によるトリマーは、冠形状の櫛４によって包囲された、一つ又は複数の垂直軸回転ヘッド１を持ち、その高さは、０．５ミリメートル以内で調整されることができる。この調整は、手動であるか又は電動であることができる（図示せず）。このトリマーは、回転ヘッドを有する電気ひげそりのように、ひげの上のアーチ形の円の移動を可能にする。このタイプの移動は、皮膚に対する傾斜にかかわらず、全ての側からの毛のトリミングを開始する利点を持ち、それは、ひげの均一なトリミングをもたらす。
【００２１】
櫛４の移動は、毛を立ち上げ、それは、最終的にトリミング領域に向かう歯の間に残る空間を介して外側から内側の方へ侵入する。先端に向かって徐々に細くなる櫛４の歯の特定の形状は、固定刃３と移動刃２から作られたトリミング要素に向かってひげの毛の容易な侵入を可能にする。
【００２２】
固定刃３は、放射形の切欠きを含み、それはまた、切断機構における毛の侵入に好ましい。
【００２３】
伸縮自在の櫛４の高さは、約０〜１５ｍｍ、好ましくは０〜１２ｍｍ、特に好ましくは０〜１０ｍｍに調整されることができる。櫛の長さを与えられると、櫛は、トリマーを保管するときに潜在的により少ない空間を占めるようにカバー５にほとんど完全に格納可能ではない。それゆえ、トリマーは、櫛の歯のための保護機構を要求する。この位置は、図４に示されている。それは、適切な手段（例えば押ボタン）によってカバーをその固定部８から解放することによって達成される。いったんカバーが解放されると、それは、持ち手７から離れるように移動し、櫛の歯の先端の方に並進され、カバー５の外部表面を櫛の歯とほぼ面一にもたらす。
【００２４】
櫛の歯を通るひげの毛の侵入を改良するため、櫛の歯は、特定の形状及び間隔を有する。
【００２５】
櫛の歯の幾何学的形状及び配置の重要な性能は、図６に示されている：
−  「Ａ」は、櫛の軸方向角度を表わし、一方「Ｂ」は、放射方向の角度を表わす；
−  Ｌ１は、歯間の距離を表わし、Ｌ２は、ベースにおける歯の大きい幅を表わし、Ｌ３は、ベースにおける歯の小さい幅を表わす；
−  Ｒ１及びＲ２は、歯の冠の外部半径及び内部半径をそれぞれ表わす；
−  Ｈは、歯の高さを表わす。
これらのパラメーター間には関係があり、歯の小さい厚さは、十分な剛性を確保するために大きい幅によって補償されなければならず、それは、歯の間の空間を減少し、切断システムの方への歯を通る毛の侵入のために好ましくないことを証明しうる。
【００２６】
図７は、櫛の三つの寸法例を示す。これらの例は、本発明を説明することを意図されるだけであり、限定の意図はない。これらの例では、歯の厚さ（Ｅ＝Ｒ１−Ｒ２）が２〜４ｍｍで変動することがわかる。歯の間の空間は、２．４〜４．５ｍｍで変動する。角度「Ａ」は、９°であり、角度「Ｂ」は、１０〜１９°である。
【００２７】
実験は、切断システムの固定刃における毛の適切な侵入を確保するために歯の間隔Ｌ１とそれらの厚さの間の比（Ｌ１／（Ｒ１−Ｒ２））が１〜２、好ましくは１〜１．８、特に好ましくは１．１〜１．６であるべきであることを示した。
【００２８】
角度「Ａ」及び「Ｂ」は、重要な役割を果たす。なぜならそれらは、固定刃の方へのひげの毛の侵入角度を決定するからである。これらの角度の変化は、もちろん歯の他の寸法と適合されなければならない。「Ａ」が大きいほど、歯はとがり、原理的にはもしＬ２及びＬ３があまり大きくないなら、もろくなる。軸方向角度「Ａ」は、好ましくは７〜１１°、より好ましくは８〜１０°、特に好ましくは８．５〜９．５°で変動する。角度「Ｂ」は、一般に８〜２２°、好ましくは９〜２０°、特に好ましくは１０〜１９°で変動する。角度は、もちろん厚さ（Ｒ１−Ｒ２）が小さい場合より厚さが大きい方が小さい。
【００２９】
さらに、剛性及び機械的強度の理由のため、櫛のベースにおける歯の高さＨとそれらの断面積の間の比率（即ちＨ／断面積）は、２〜４、好ましくは２．３〜３．５、特に好ましくは２．５〜３ｍｍ−１であるべきである。歯のベースの断面積は、式（Ｒ１−Ｒ２）・（Ｌ２−Ｌ３／２）によって計算され、歯の厚さをそのベースの平均に掛けて計算される。
【００３０】
歯のベースの断面積は、もしそれが正確な幾何学的形状に相当しないなら測定されることもできる。
【図１】
2018520731.tif 000003
【図２】
2018520731.tif 000004
【図３】
2018520731.tif 000005
【図４】
2018520731.tif 000006
【図５】
2018520731.tif 000007
【図６】
2018520731.tif 000008
【図７】
2018520731.tif 000009
【図８】
2018520731.tif 000010
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
持ち手及びカバー並びに一つ又は複数の垂直軸回転切断ヘッドを有する切断システムを含むひげトリマーであって、前記回転切断ヘッドが移動刃及び固定刃を含み、各ヘッドが歯を有する冠の形の櫛によって包囲され、前記櫛が、高さ調整可能であり、かつ使用時に、前記刃と皮膚の間の距離を調整し、それによってひげの毛の切断を所望の長さに適応することを可能にするひげトリマーにおいて、前記カバーが、前記持ち手上に開放位置と閉鎖位置の間で移動可能に装着され、かくしてカバーが開放位置から保護位置に移動されることができ、保護位置でそれが装置を保管するために櫛の歯と面一である、ひげトリマー。
【請求項２】
櫛のための保護位置が、カバーを持ち手から離れるように移動させるための手段を作動することによって達成される、請求項１に記載のひげトリマー。
【請求項３】
カバーが、櫛のための保護位置を達成するためにシャフトの方向に沿って並進される、請求項１に記載のひげトリマー。
【請求項４】
カバーを離れるように移動させるための手段が、櫛のための保護位置を達成するためにシャフトのまわりに位置されるばねによって並進移動を起こすようにカバーをその固定部から離す、請求項１に記載のひげトリマー。
【請求項５】
持ち手から離れるカバーの移動が電動化されている、請求項１に記載のひげトリマー。
【請求項６】
前記トリマーが、二つ又は三つの回転ヘッドを含む、請求項１に記載のひげトリマー。
【請求項７】
切断システムの固定刃中の毛の適切な侵入を確保するために櫛の歯の間隔Ｌ１とそれらの厚さＲ１−Ｒ２の間の比率（即ち、比率Ｌ１／（Ｒ１−Ｒ２））が、１〜２、好ましくは１〜１.８、特に好ましくは１.１〜１.６である、請求項１に記載のひげトリマー。
【請求項８】
櫛のベースにおける歯の高さＨとそれらの断面の表面積の間の比率が、２〜４、好ましくは２.３〜３.５、特に好ましくは２.５〜３ｍｍ−１である、請求項１に記載のひげトリマー。
【請求項９】
軸方向の角度Ａが、７〜１１°、好ましくは８〜１０°、特に好ましくは８.５〜９．５°である、請求項１に記載のひげトリマー。
【請求項１０】
放射方向の角度Ｂが、８〜２２°、好ましくは９〜２０°、特に好ましくは１０〜１９°である、請求項１に記載のひげトリマー。
【国際調査報告】
2018520731.tif 000011
2018520731.tif 000012
2018520731.tif 000013
2018520731.tif 000014